(57)【要約】【課題】表示が好ましくない情報の表示を抑制する。【解決手段】画像表示装置１００は、コンピュータ２００に接続されている。この画像表示装置は、コンピュータ２００が生成する表示ファイルの候補に関する選択候補情報を取得する候補情報取得部と、選択候補情報に基づいて表示ファイルを選択するための選択画面を生成・表示する選択画面表示部と、選択画面上での選択結果をコンピュータ２００に送信して選択されたファイルを実行させる実行指示部と、コンピュータ２００により描画されるコンピュータ描画画面を取得して表示する描画画面表示部と、を備えている。画像表示装置１００は、コンピュータ２００との接続が確立した際にコンピュータ描画画面を表示することなく選択画面を表示し、コンピュータ２００が選択された表示ファイルを実行することにより描画を開始した際にコンピュータ描画画面を表示する。【選択図】図５
2008209853.tif 000002
【特許請求の範囲】
【請求項１】
コンピュータに接続されるプレゼンテーション用の画像表示装置であって、
前記コンピュータにより生成され、プレゼンテーション対象ファイルの選択候補に関する選択候補情報を取得する候補情報取得部と、
前記候補情報取得部が取得した前記選択候補情報に基づいて、前記プレゼンテーション対象ファイルを選択するための選択画面を生成して表示する選択画面表示部と、
前記選択画面上での選択結果を前記コンピュータに送信することによって、選択されたプレゼンテーション対象ファイルを前記コンピュータに実行させるプレゼンテーション実行指示部と、
前記コンピュータにより描画されるコンピュータ描画画面を取得して表示する描画画面表示部と、
を備え、
前記画像表示装置は、前記コンピュータとの接続が確立した際に前記コンピュータ描画画面を表示することなく前記選択画面を表示し、前記コンピュータが前記選択されたプレゼンテーション対象ファイルを実行することにより描画を開始した際に前記コンピュータ描画画面を表示する、画像表示装置。
【請求項２】
請求項１記載の画像表示装置であって、
前記選択候補情報は、前記コンピュータによるファイルの最終使用時からの経過時間が短い順に選択された特定種類のファイルを示すように生成される、
画像表示装置。
【請求項３】
請求項１または２記載の画像表示装置であって、
前記選択候補情報は、予め前記コンピュータにおいて設定された抽出条件に従って、前記コンピュータにより抽出された抽出候補に基づいて生成される、
画像表示装置。
【請求項４】
請求項１ないし３のいずれか記載の画像表示装置であって、
前記画像表示装置と前記コンピュータは、前記コンピュータ描画画面を伝送する画像伝送路と、前記コンピュータ描画画面以外の情報を伝送する前記画像伝送路とは別個の情報伝送路と、により接続されており、
前記画像表示装置は、前記画像伝送路から前記コンピュータ描画画面が供給されている場合においても、前記コンピュータが前記選択されたプレゼンテーション対象ファイルの実行による描画が開始するまでの間、前記コンピュータ描画画面の表示を抑制する、
画像表示装置。
【請求項５】
コンピュータに接続されるプレゼンテーション用の画像表示装置において、プレゼンテーション対象ファイルに応じた表示を行う表示方法であって、
（ａ）前記コンピュータにより生成され、プレゼンテーション対象ファイルの選択候補に関する選択候補情報を取得する工程と、
（ｂ）前記コンピュータにより描画されるコンピュータ描画画面を表示することなく、前記工程（ａ）において取得された前記選択候補情報に基づいて、前記プレゼンテーション対象ファイルを選択するための選択画面を生成して表示する工程と、
（ｃ）前記選択画面上での選択結果を前記コンピュータに送信することによって、選択されたプレゼンテーション対象ファイルを前記コンピュータに実行させて、前記コンピュータにプレゼンテーション画面を描画させる工程と、
（ｄ）前記コンピュータにより描画されたプレゼンテーション画面を取得して表示する工程と、
を備える、表示方法。
【発明の詳細な説明】
【技術分野】
【０００１】
この発明は、プレゼンテーション用の画像表示装置においてプレゼンテーション対象ファイルを表示する技術に関する。
【背景技術】
【０００２】
プロジェクタ等のプレゼンテーション用画像表示装置では、コンピュータから供給されるビデオ信号に応じた画像が表示される。近年では、ＵＳＢ（ユニバーサルシリアルバス）やＩＥＥＥ１３９４などの規格に準拠したデータ通信リンクやＬＡＮ（ローカルエリアネットワーク）等を介してコンピュータから画像データを供給し、供給された画像データに応じて画像を表示することが行われている。
【０００３】
【特許文献１】特開２００１−３３１６１５号広報
【特許文献２】特開２００５−４５４３４号広報
【特許文献３】特開２００６−１４６３４８号広報
【発明の開示】
【発明が解決しようとする課題】
【０００４】
しかしながら、コンピュータから画像表示装置へは、コンピュータのディスプレイに表示される画像そのものを表すビデオ信号や画像データが供給される。そのため、コンピュータ上での操作画面は、そのまま画像表示装置に表示され、プレゼンテーション対象のファイルの選択等のプレゼンテーションを行うための準備の操作内容が画像表示装置により表示される。このように、操作内容が表示されることにより、プレゼンテーション用の画像表示装置に表示するのが好ましくない情報が表示される場合があった。
【０００５】
本発明は、上述した従来の課題を解決するためになされたものであり、プレゼンテーション用の画像表示装置による表示が好ましくない情報の表示を抑制することを目的とする。
【課題を解決するための手段】
【０００６】
上記目的の少なくとも一部を達成するために、本発明の画像表示装置は、コンピュータに接続されるプレゼンテーション用の画像表示装置であって、前記コンピュータにより生成され、プレゼンテーション対象ファイルの選択候補に関する選択候補情報を取得する候補情報取得部と、前記候補情報取得部が取得した前記選択候補情報に基づいて、前記プレゼンテーション対象ファイルを選択するための選択画面を生成して表示する選択画面表示部と、前記選択画面上での選択結果を前記コンピュータに送信することによって、選択されたプレゼンテーション対象ファイルを前記コンピュータに実行させるプレゼンテーション実行指示部と、前記コンピュータにより描画されるコンピュータ描画画面を取得して表示する描画画面表示部と、を備え、前記画像表示装置は、前記コンピュータとの接続が確立した際に前記コンピュータ描画画面を表示することなく前記選択画面を表示し、前記コンピュータが前記選択されたプレゼンテーション対象ファイルを実行することにより描画を開始した際に前記コンピュータ描画画面を表示することを特徴とする。
【０００７】
この構成によれば、プレゼンテーション対象画像ファイルの選択は、コンピュータ描画画面が表示されず、選択候補情報に基づいて生成された選択画面が表示されている際に行われる。そのため、ファイルの選択の際に不要な情報が画像表示装置により表示される可能性を低減することができ、画像表示装置による表示が好ましくない情報の表示が抑制される。
【０００８】
前記選択候補情報は、前記コンピュータによるファイルの最終使用時からの経過時間が短い順に選択された特定種類のファイルを示すように生成されるものとしてもよい。
【０００９】
プレゼンテーションに使用されるファイルは、通常、プレゼンテーションが行われる時に近い時期に使用される。そのため、選択候補情報を最終使用時からの経過時間が短い順に選択されたファイルを示すように生成することにより、プレゼンテーションに使用されるファイルをより容易に選択することができる。
【００１０】
前記選択候補情報は、予め前記コンピュータにおいて設定された抽出条件に従って前記コンピュータにより抽出された抽出候補に基づいて生成されるものとしてもよい。
【００１１】
この構成によれば、あらかじめコンピュータにおいて設定された抽出条件で抽出された抽出候補に基づいて選択候補情報が生成される。そのため、抽出条件を適宜設定することにより、選択候補情報に画像表示装置による表示が好ましくない情報が含まれることを抑制することができる。
【００１２】
前記画像表示装置と前記コンピュータは、前記コンピュータ描画画面を伝送する画像伝送路と、前記コンピュータ描画画面以外の情報を伝送する前記画像伝送路とは別個の情報伝送路と、により接続されており、前記画像表示装置は、前記画像伝送路から前記コンピュータ描画画面が供給されている場合においても、前記コンピュータが前記選択されたプレゼンテーション対象ファイルの実行による描画が開始するまでの間、前記コンピュータ描画画面の表示を抑制するものとしてもよい。
【００１３】
この構成によれば、コンピュータ描画画面が画像伝送路を介して供給される場合においても、プレゼンテーション対象ファイルの選択中は、画像表示装置ではコンピュータ描画画面が表示されない。そのため、画像表示装置による表示が好ましくない情報の表示を抑制することができる。
【００１４】
なお、本発明は、種々の態様で実現することが可能である。例えば、画像表示装置、画像表示装置における表示方法、画像表示装置の制御装置および制御方法、それらの画像表示装置、表示方法、制御装置および制御方法の機能を実現するためのコンピュータプログラム、そのコンピュータプログラムを記録した記録媒体、そのコンピュータプログラムを含み搬送波内に具現化されたデータ信号、等の態様で実現することができる。
【発明を実施するための最良の形態】
【００１５】
次に、本発明の実施の形態を実施例に基づいて以下の順序で説明する。
Ａ．実施例：
Ｂ．変形例：
【００１６】
Ａ．実施例：
図１は、本発明の一実施例を適用する画像投射システムの構成を示す説明図である。この画像投射システム１０は、プロジェクタ１００と、パーソナルコンピュータ２００と、を有している。プロジェクタ１００とパーソナルコンピュータ２００とは、ローカルエリアネットワーク（ＬＡＮ）を介して、互いに接続されている。なお、本実施例のプロジェクタ１００とパーソナルコンピュータ２００とは、いずれもＵＰｎＰ（ユニバーサルプラグアンドプレイ：UPnPは、UPnP Implementers Corporationの商標）対応のネットワークデバイスとして構成されている。
【００１７】
プロジェクタ１００は、ネットワーク制御部１１０と、映像受信部１２０と、候補ファイル情報受信部１３０と、操作制御部１４０と、表示情報生成部１５０と、投射部１６０と、を備えている。ＬＡＮに接続されたネットワーク制御部１１０は、映像受信部１２０と候補ファイル情報受信部１３０とのそれぞれに接続されている。ネットワーク制御部１１０は、これらの映像受信部１２０および候補ファイル情報受信部１３０と、ＬＡＮとの間のデータの授受を仲介する。
【００１８】
映像受信部１２０は、ネットワーク制御部１１０を介して画像データを受信し、受信した画像データを表示情報生成部１５０に供給する。表示情報生成部１５０は、映像受信部１２０から供給された画像データから、プロジェクタ１００により表示される画像を表す表示データを生成する。
【００１９】
候補ファイル情報受信部１３０は、ネットワーク制御部１１０を介して候補ファイル情報を受信し、受信した候補ファイル情報を表示情報生成部１５０に供給する。表示情報生成部１５０は、候補ファイル情報受信部１３０から供給された候補ファイル情報から表示データを生成する。なお、候補ファイル情報と、候補ファイル情報から生成される表示データについては、後述する。
【００２０】
表示情報生成部１５０は、映像受信部１２０から供給される画像データから生成される表示データと、候補ファイル情報から生成されたファイル情報から生成される表示データと、のいずれか一方を投射部１６０に供給する。投射部１６０は供給された表示データに応じて画像をスクリーン（図示しない）に投射する。
【００２１】
候補ファイル情報受信部１３０は、また、操作制御部１４０に接続されている。操作制御部１４０は、プロジェクタ１００に付属のリモートコントローラ１０２から与えられるユーザの指示を取得する。取得されたユーザの指示は、候補ファイル情報受信部１３０とネットワーク制御部１１０とを介して、ＬＡＮに接続されたデバイスに送信される。
【００２２】
パーソナルコンピュータ２００は、ネットワーク制御部２１０と、プロジェクタ接続処理部２２０と、フレームバッファ２３０と、アプリケーション実行部２４０と、ファイルシステム２５０と、を備えている。プロジェクタ接続処理部２２０は、映像送信部２２２と、アプリケーション実行制御部２２４と、候補ファイル情報送信部２２６と、候補ファイル情報生成部２２８と、を有している。プロジェクタ接続処理部２２０が有する映像送信部２２２とアプリケーション実行制御部２２４と候補ファイル情報送信部２２６は、ネットワーク制御部２１０を介してＬＡＮに接続されており、プロジェクタ１００の映像受信部１２０および候補ファイル情報受信部１３０との間でデータの授受を行う。なお、プロジェクタ接続処理部２２０は、プロジェクタ１００に種々のデータを送信するために使用されるので、「ホストアプリケーション」とも呼ぶことができる。
【００２３】
ファイルシステム２５０には、アプリケーション実行部２４０により使用される複数のアプリケーションデータファイルＡＤ（以下、「アプリデータＡＤ」とも呼ぶ）が格納されている。アプリケーション実行部２４０は、使用されるアプリデータＡＤに対応したアプリケーションを実行する。アプリケーションは、アプリデータＡＤを解釈して画面表示用のデバイスドライバ（図示しない）に描画指示を与えることにより、パーソナルコンピュータ２００のディスプレイ（図示しない）に画像を表示する。ディスプレイへの表示画像を表す画像データ（ＰＣ画面データ）は、ミラードライバ等を用いることにより取得され、フレームバッファ２３０に格納される。ここで、ミラードライバとは、表示画像を生成するための描画指示を取得し、取得した描画指示に基づいて画像データを生成する一種のデバイスドライバである。なお、本明細書においては、このようにアプリデータＡＤに対応したアプリケーションを実行することを、「アプリデータＡＤを使用する」あるいは「アプリデータＡＤを実行する」ともいう。
【００２４】
プロジェクタ接続処理部２２０の映像送信部２２２は、パーソナルコンピュータ２００のフレームバッファ２３０に接続されている。映像送信部２２２は、フレームバッファ２３０に格納されたＰＣ画面データを取得し、取得したＰＣ画面データをＬＡＮを介してプロジェクタ１００の映像受信部１２０に送信する。プロジェクタ１００の映像受信部１２０が、ＰＣ画面データを表示情報生成部１５０に供給することにより、投射部１６０はパーソナルコンピュータ２００のディスプレイに表示される画面（ＰＣ画面）を投射する。このように、映像受信部１２０と表示情報生成部１５０と投射部１６０により、ＰＣ画面がプロジェクタ１００で表示されるので、これらの各部１２０，１５０，１６０は、併せて「ＰＣ画面取得部」とも呼ぶことができる。ＰＣ画面データは、所定の方式（例えば、ＭＰＥＧ−２）により圧縮処理が施され、パーソナルコンピュータ２００からプロジェクタ１００に転送される。
【００２５】
アプリケーション実行制御部２２４は、ＬＡＮを介して供給されたメッセージに基づいて、アプリケーション実行部２４０によるアプリケーションの実行を制御する。本実施例では、プロジェクタ１００は、ＳＯＡＰ（シンプルオブジェクトアクセスプロトコル）に従ったアクション要求メッセージをアプリケーション実行制御部２２４に送信する。アクション要求メッセージを受信したアプリケーション実行制御部２２４がアプリケーション実行部２４０を制御することにより、アクション要求メッセージに従ってアプリケーションがパーソナルコンピュータ２００上で実行される。
【００２６】
ファイルシステム２５０に格納された使用履歴データは、アプリデータＡＤの使用履歴データＲＤを格納する。使用履歴データＲＤには、ファイルシステム２５０に格納された複数のアプリデータＡＤのうち、最近使用されたアプリデータＡＤを特定するための情報が登録される。すなわち、使用履歴データＲＤには、最終使用時からの経過時間が短い順に選択されたアプリデータＡＤが登録されている。通常、このような使用履歴データＲＤは、パーソナルコンピュータ２００上で稼働するオペレーティングシステム（ＯＳ）により自動的に生成される。但し、使用履歴データＲＤを生成する履歴データ生成部を別途設けるものとしてもよい。
【００２７】
図２は、使用履歴データＲＤに登録された情報の一例を示す説明図である。使用履歴データには、アプリデータＡＤを特定するためのファイル名および拡張子と、アプリデータの作成者名と、アプリデータの作成日時と、アプリデータに最後にアクセスした時間（最終アクセス）と、が格納されている。なお、使用履歴データＲＤには、アプリデータＡＤを特定する情報が含まれていれば、図２に示す情報とは異なる情報を登録するものとしてもよい。また、作成者名、作成日時、最終アクセスの少なくとも１つを省略することもでき、他の情報（例えば、修正者や使用頻度）を登録するものとしてもよい。
【００２８】
図１の候補ファイル情報生成部２２８は、図２に示す使用履歴データＲＤを参照して、予めパーソナルコンピュータ２００で設定された抽出条件に合致するアプリデータＡＤを抽出する。そして、抽出されたアプリデータＡＤのうちの１つファイルについての使用履歴データＲＤに登録された情報と、そのアプリデータＡＤから生成したサムネイル画像と、を候補ファイル情報として候補ファイル情報送信部２２６に供給する。サムネイル画像としては、例えば、アプリデータＡＤを用いてアプリケーション実行部２４０が表示する最初の画面を表す画像が使用可能である。但し、候補ファイル情報生成部２２８は、候補ファイル情報として、サムネイル画像を含まない情報を候補ファイル情報送信部２２６に供給するものとしてもよい。候補ファイル情報送信部２２６は、候補ファイル情報生成部２２８から供給された候補ファイル情報を候補ファイル情報受信部１３０に送信する。
【００２９】
図３は、パーソナルコンピュータ２００において、抽出条件を設定するための抽出条件設定画面ＳＳＥの一例を示す説明図である。この抽出条件設定画面ＳＳＥは、候補ファイル情報生成部２２８により生成され、パーソナルコンピュータ２００のディスプレイに表示される。抽出条件設定画面ＳＳＥには、「簡単設定」フィールドＦＡＳと、「詳細設定」フィールドＦＭＳと、の２つの設定フィールドが設けられている。ユーザは、これらのフィールドＦＡＳ，ＦＭＳをマウス等のポインティングデバイスで操作する。そして、ユーザが抽出条件設定画面ＳＳＥの「ＯＫ」ボタンＢＯＫを操作することにより、アプリデータＡＤの抽出条件が設定される。
【００３０】
抽出条件設定画面ＳＳＥの「簡単設定」フィールドＦＡＳには、予め設定された抽出条件での抽出を指定するチェックボックスＣＡＳと、その抽出条件で抽出されたファイルを表示するための表示領域ＤＡＳと、が設けられている。表示領域ＤＡＳの右側には、抽出されたファイルを展開表示するための展開表示ボタンＢＥＤが設けられている。ユーザが展開表示ボタンＢＥＤを操作すると、表示領域ＤＡＳから下方に向かって、抽出されたファイルの一覧が表示される。なお、図３の例では、チェックボックスＣＡＳにはチェックマークが付与されていないので、「詳細設定」フィールドＦＭＳで設定された抽出条件が使用される。
【００３１】
抽出条件設定画面ＳＳＥの「詳細設定」フィールドＦＭＳには、抽出条件を指定するためのチェックボックスＣＤＴ，ＣＣＲ，ＣＦＴが設けられている。ユーザがこれらのチェックボックスにチェックマークを付与することにより、チェックボックスＣＤＴ，ＣＣＲ，ＣＦＴのそれぞれに対応する条件が抽出条件に加えられる。図３の例では、チェックボックスＣＤＴ，ＣＦＴにチェックマークが付与され、チェックボックスＣＣＲにはチェックマークが付与されていない。そのため、ファイルの抽出は、日時とファイルの種類に基づいて行われる。具体的には、最近７日間にアクセスされ、かつ、プレゼンテーションソフトウェアのファイル（拡張子が「ppt」のファイル）もしくはその他の拡張子（「txt」、「pdf」、「html」、「htm」のいずれか）を有するファイルが抽出される。
【００３２】
図４は、候補ファイル情報生成部２２８（図１）により、使用履歴データＲＤからを候補ファイル情報が生成される様子を示す説明図である。図４（ａ）は、図２に示す使用履歴データに登録されたファイルのうち、図３の抽出条件設定画面ＳＳＥで設定された抽出条件に合致するファイルがハッチングで示されている。具体的には、拡張子が「ppt」となっている３つのファイル「プレゼン１」，「プレゼン２」，「プレゼン３」が抽出条件に合致したファイルとなっている。
【００３３】
図４（ｂ）は、使用履歴データＲＤから抽出されたアプリデータＡＤ（抽出候補）の一覧を示している。図１の候補ファイル情報生成部２２８は、ハッチングで示すように、抽出候補のうちの１つのファイル（例えば、抽出候補中の最初のファイル）を選択する。このように選択されたファイルに関する情報（すなわち、候補ファイル情報）は、候補ファイル情報送信部２２６を介して、プロジェクタ１００（図１）の候補ファイル情報受信部１３０に送信される。
【００３４】
図５は、本実施例の画像投射システム１０（図１）においてプレゼンテーションが行われる際の処理の流れを示すシーケンス図である。図６は、図５のシーケンスが実行されている際にプロジェクタ１００により投射される画像の一例を示している。なお、図５に示すシーケンスは、プロジェクタ１００が起動されることにより実行が開始される。パーソナルコンピュータ２００は、図５のシーケンスの開始時点において稼働状態となっている。
【００３５】
ステップ[P110]において、プロジェクタ１００は、検索要求をパーソナルコンピュータ２００に送信する。具体的には、プロジェクタ１００のネットワーク制御部１１０は、ＵＰｎＰのディスカバリメッセージをマルチキャストする。マルチキャストされたディスカバリメッセージは、パーソナルコンピュータ２００のネットワーク制御部２１０により受信される。
【００３６】
ステップ[C110]において、パーソナルコンピュータ２００は、ステップ[P110]において受信した検索要求に応答する。具体的には、パーソナルコンピュータ２００のネットワーク制御部２１０は、応答メッセージをプロジェクタ１００のネットワーク制御部１１０に送信する。このように、プロジェクタ１００のネットワーク制御部１１０が応答メッセージを受信することにより、プロジェクタ１００とパーソナルコンピュータ２００との間の論理的な接続が確立される。
【００３７】
ステップ[P120]において、プロジェクタ１００は、候補ファイル情報の送信をパーソナルコンピュータ２００に要求する。具体的には、プロジェクタ１００の候補ファイル情報受信部１３０は、候補ファイル情報の送信を要求するメッセージ（以下、単に「送信要求」とも呼ぶ）をネットワーク制御部１１０を介してパーソナルコンピュータ２００に送信する。パーソナルコンピュータ２００の候補ファイル情報送信部２２６は、ネットワーク制御部２１０を介して送信要求を受信する。受信された送信要求は、候補ファイル情報生成部２２８に供給される。
【００３８】
ステップ[C120]において、パーソナルコンピュータ２００の候補ファイル情報生成部２２８は、上述したように、使用履歴データＲＤから候補ファイル情報を生成する。生成された候補ファイル情報は、ステップ[C122]において、候補ファイル情報送信部２２６とネットワーク制御部２１０とを介して、プロジェクタ１００に送信される。プロジェクタ１００に送信された候補ファイル情報は、候補ファイル情報受信部１３０を介して、表示情報生成部１５０に供給される。
【００３９】
ステップ[P130]において、プロジェクタ１００（図１）の表示情報生成部１５０は、アプリデータＡＤを選択するためのファイル選択画面を生成する。ファイル選択画面を表す表示データは、投射部１６０に供給され、プロジェクタ１００によりファイル選択画面が表示される。このように、表示情報生成部１５０と投射部１６０とにより、ファイル選択画面が生成・表示されるので、表示情報生成部１５０と投射部１６０とを併せて「選択画面表示部」とも呼ぶことができる。
【００４０】
図６（ａ）は、ステップ[P130]において表示されるファイル選択画面ＳＰ１を示している。ファイル選択画面ＳＰ１には、プレゼンテーションに使用するファイルを選択していることを表すメッセージＭＦＳと、サムネイル画像ＴＮ１と、ファイル情報ＦＩ１と、リモートコントローラ１０２での操作方法を説明するガイドメッセージＭＧＤと、が表示されている。なお、ファイル選択画面には、サムネイル画像とファイル情報との少なくとも一方が表示されていればよい。この場合、表示内容をユーザに設定させるものとしてもよい。
【００４１】
図５のステップ[P140]において、プロジェクタ１００（図１）の候補ファイル情報受信部１３０は、リモートコントローラ１０２を用いて与えられたユーザの指示を、操作制御部１４０を介して取得する。そして、ユーザの指示が、選択したファイルをプレゼンテーションで使用することを決定する決定指示と、候補を変更する候補変更指示と、のいずれであるかを判断する。ユーザの指示が決定指示であった場合には、制御はステップ[P150]に移される。一方、ユーザの指示が候補変更指示であった場合には、制御部ステップ[P120]に戻される。
【００４２】
図６の例では、図６（ａ）に示すファイル選択画面ＳＰ１の表示中に、ユーザはリモートコントローラ１０２の上ボタンＢＵＰ（ハッチングで示す）を操作している。そのため、制御はステップ[P120]に戻され、候補ファイル情報として次のファイルに関する情報の送信を要求する。これにより、パーソナルコンピュータ２００からは、抽出候補（図４（ｂ））のうち２番目のアプリデータＡＤに関する情報をプロジェクタ１００に送信する。そして、プロジェクタ１００では、図６（ｂ）に示すファイル選択画面ＳＰ２が表示される。ファイル選択画面ＳＰ２では、図６（ａ）に示すファイル選択画面ＳＰ１中のサムネイル画像ＴＮ１とファイル情報ＦＩ１とが、それぞれ次のファイル（プレゼン２）のサムネイルＴＮ２とファイル情報ＦＩ２とに置き換えられている。
【００４３】
次に、ユーザは、図６（ｂ）に示すファイル選択画面ＳＰ２の表示中に、リモートコントローラ１０２のエンターボタンＢＥＴ（ハッチングで示す）を操作している。そのため、図５のステップ[P140]では、ユーザの指示が決定指示であると判断され、制御はステップ[P150]に移される。
【００４４】
ステップ[P150]において、プロジェクタ１００（図１）の候補ファイル情報受信部１３０は、パーソナルコンピュータ２００（図１）にプレゼンテーションの開始を要求する。具体的には、候補ファイル情報受信部１３０は、選択されたアプリデータＡＤ（プレゼン２）を指定して、アプリケーションの実行を要求するアクション要求メッセージをパーソナルコンピュータ２００に送信する。このように、候補ファイル情報受信部は、アプリデータＡＤの実行をパーソナルコンピュータ２００に指示するので、「プレゼンテーション実行指示部」とも呼ぶことができる。
【００４５】
次いで、プロジェクタ１００は、ステップ[P150]におけるプレゼンテーションの開始要求の後、ステップ[P152]において、ＰＣ画面の表示を開始する。具体的には、表示情報生成部１５０は、候補ファイル情報から生成した表示画像データに替えて、映像受信部１２０から供給されるＰＣ画面データから生成された表示画像データを投射部１６０に供給する。
【００４６】
パーソナルコンピュータ２００に送信されたアクション要求メッセージは、アプリケーション実行制御部２２４に受け渡される。アクション要求メッセージを受け取ったアプリケーション実行制御部２２４は、ステップ[C152]において、アプリデータＡＤ（プレゼン２）を使用するアプリケーションを起動する。アプリケーションが起動されたパーソナルコンピュータ２００では、アプリケーションの実行画面がフレームバッファ２３０に格納される。アプリケーションの実行画面が映像送信部２２２を介してプロジェクタ１００に送信されることにより、プロジェクタ１００はアプリケーションの実行画面を表示する。
【００４７】
図５のステップ[P160]では、ユーザがリモートコントローラ１０２（図６）に設けられた種々のボタンを操作することにより、アプリケーション実行部２４０で実行されるアプリケーションが操作される。具体的には、リモートコントローラ１０２のボタン操作が操作制御部１４０（図１）により取得され、操作内容がパーソナルコンピュータ２００（図１）に送信される。送信されたボタンの操作内容は、アプリケーション実行部２４０に供給される。アプリケーション実行部２４０で実行されるアプリケーションは、これらの操作されたボタンに応じて、パーソナルコンピュータ２００でのマウス（図示しない）の操作と同様に操作される。なお、本実施例では、リモートコントローラ１０２のボタン操作内容をパーソナルコンピュータ２００に送信することによりアプリケーションの操作を行っているが、パーソナルコンピュータ２００に設けられたマウスやキーボード等を操作することによりアプリケーションを操作するものとしてもよい。また、プロジェクタ１００においてソフトウェアキーボードを作動させることにより、パーソナルコンピュータ２００でのキーボード（図示しない）操作と同様に文字の入力などを行うものとしてもよい。
【００４８】
ステップ[P160]におけるアプリケーションの実行が終了すると、ステップ[C170]において、パーソナルコンピュータ２００は、プレゼンテーションの終了をプロジェクタ１００に通知する。具体的には、アプリケーション実行制御部２２４は、アプリケーション実行部２４０によるアプリケーションの実行の終了を検知すると、プレゼンテーションの終了を表す所定のメッセージをプロジェクタ１００に送信する。プロジェクタ１００は、ステップ[C170]においてプレゼンテーションの終了が通知された後、ステップ[P172]において、ＰＣ画面の表示を終了してファイル選択画面ＳＰ２（図６（ｂ））を表示する。具体的には、表示情報生成部１５０は、ＰＣ画面データから生成された表示画像データに替えて、候補ファイル情報から生成した表示画像データを投射部１６０に供給する。
【００４９】
このように、本実施例では、プレゼンテーションに使用されるアプリデータＡＤ（プレゼンテーション対象ファイル）を選択する場合、ＰＣ画面の表示は抑制され、ファイル選択画面がプロジェクタ１００により表示される。そのため、プロジェクタ１００により表示されるのが好ましくない情報が表示されることを抑制することができる。
【００５０】
Ｂ．変形例：
なお、この発明は上記実施例や実施形態に限られるものではなく、その要旨を逸脱しない範囲において種々の態様において実施することが可能であり、例えば次のような変形も可能である。
【００５１】
Ｂ１．変形例１：
上記実施例では、パーソナルコンピュータ２００のファイルシステム２５０に格納されたアプリデータＡＤからプレゼンテーション対象ファイルが選択されているが、プレゼンテーション対象ファイルは、ＬＡＮに接続された他のネットワークデバイスに格納されたアプリデータＡＤから選択することもできる。この場合、アプリデータＡＤは、アプリデータＡＤのＵＲＩ（ユニフォームリソース識別子）やＵＲＬにより特定される。
【００５２】
ネットワークデバイスに格納されたアプリデータＡＤを使用する場合、パーソナルコンピュータ２００は、ネットワークデバイスから直接アプリデータＡＤを取得するものとしてもよく、プロジェクタ１００を介してアプリデータＡＤを取得するものとしてもよい。プロジェクタ１００を介してアプリデータを取得する場合において、認証が必要となる場合には、認証はパーソナルコンピュータ２００上で行われる。この場合、パーソナルコンピュータ２００においてアプリデータＡＤが実行されるまで、ＰＣ画面のプロジェクタ１００での表示は抑制される。
【００５３】
Ｂ２．変形例２：
上記実施例では、候補ファイル情報生成部２２８は、使用履歴データＲＤに基づいて候補ファイル情報を生成しているが、候補ファイル情報は、使用履歴データＲＤとは別の情報に基づいて生成することも可能である。例えば、特定のフォルダに格納されたファイルの情報等に基づいて候補ファイル情報を生成することも可能である。但し、複数のフォルダから所望のフォルダを探す手間を省略できるので、使用履歴データＲＤに基づいて候補ファイル情報を生成するのが好ましい。また、プレゼンテーションに使用されるファイルは、通常、プレゼンテーションが行われる時に近い時期に使用される。そのため、使用履歴データＲＤに基づいて候補ファイル情報を生成することにより、プレゼンテーションに使用されるファイルをより容易に選択することができる。
【００５４】
Ｂ３．変形例３：
上記実施例では、候補ファイル情報生成部２２８が、使用履歴データＲＤに登録されているファイルから予め設定された抽出条件でファイルを抽出し、抽出されたファイルのうちの１つのファイルに関する候補ファイル情報を生成しているが、ファイルの抽出を省略することも可能である。但し、ファイルの抽出を行うことにより、プロジェクタ１００により表示されるのが好ましくない情報をより確実に抑制することができる。
【００５５】
Ｂ４．変形例４：
上記実施例では、抽出条件はパーソナルコンピュータ２００において設定されているが、プロジェクタ１００で抽出条件を設定するものとしてもよい。設定された抽出条件は、プロジェクタ１００からパーソナルコンピュータ２００に通知される。但し、抽出条件の設定内容によっては、プロジェクタ１００により表示されるのが好ましくない情報（ユーザ名など）が表示されるおそれがあるので、抽出条件の設定はパーソナルコンピュータ２００において行うのがより好ましい。
【００５６】
Ｂ５．変形例５：
上記実施例では、パーソナルコンピュータ２００からプロジェクタ１００へは、１つのファイルに関する候補ファイル情報が送信されているが、複数のファイルに関する情報を送信するものとしてもよい。一般に、パーソナルコンピュータ２００からプロジェクタ１００に送信されるプレゼンテーション対象ファイルを選択するための情報は、プレゼンテーション対象ファイルの選択の対象となる選択候補に関する情報（選択候補情報）であれば、その内容を適宜変更することができる。なお、複数のファイルに関する情報を送信する場合、候補ファイル情報生成部２２８により行われるファイルの抽出を、プロジェクタ１００側で行うことも可能である。
【００５７】
Ｂ６．変形例６：
上記実施例では、パーソナルコンピュータ２００は、ＬＡＮを介してプロジェクタ１００にＰＣ画面データを送信しているが、他の方法によりＰＣ画面データをプロジェクタ１００に送信するものとしてもよい。パーソナルコンピュータ２００は、例えば、ＵＳＢ（ユニバーサルシリアルバス）やＩＥＥＥ１３９４に準拠した通信リンクを介してＰＣ画面データをプロジェクタ１００に送信することも可能である。
【００５８】
Ｂ７．変形例７：
上記実施例では、パーソナルコンピュータ２００に表示されるＰＣ画面を表すＰＣ画面データを生成し、生成されたＰＣ画面データをプロジェクタ１００に送信することによりプロジェクタ１００にＰＣ画面を表示させているが、他の方法によりＰＣ画面をプロジェクタ１００に表示させることも可能である。例えば、ＰＣ画面を表わすアナログビデオ信号やデジタルビデオ信号をプロジェクタ１００に送信することにより、プロジェクタ１００にＰＣ画面を表示することも可能である。なお、パーソナルコンピュータ２００からプロジェクタ１００へのこれらのビデオ信号の伝送路は、ＰＣ画面を伝送する「画像伝送路」とも呼ぶことができる。
【００５９】
Ｂ８．変形例８：
上記実施例では、パーソナルコンピュータ２００がアプリデータＡＤを使用することによりパーソナルコンピュータ２００に表示されるＰＣ画面をプロジェクタ１００で表示しているが、プロジェクタ１００により表示される画面は、パーソナルコンピュータ２００により描画されたコンピュータ描画画面であればよい。
【００６０】
Ｂ９．変形例９：
上記実施例では、プロジェクタ１００とパーソナルコンピュータ２００とは、いずれもＵＰｎＰ対応のデバイスとして構成されているが、プロジェクタ１００がパーソナルコンピュータ２００に所定の処理を実行させることができれば、必ずしもＵＰｎＰ対応のデバイスとして構成される必要はない。
【００６１】
Ｂ１０．変形例１０：
上記実施例では、本発明をプロジェクタに適用しているが、本発明は、複数の観察者に画像を提示可能なプレゼンテーション用の画像表示装置であれば、プロジェクタの他、液晶表示装置やプラズマ表示装置等の任意の画像表示装置に適用することが可能である。なお、プロジェクタとしては、液晶ライトバルブやＤＭＤ（デジタルマイクロミラーデバイス：Texas Instruments社の商標）等の種々の変調手段を用いたプロジェクタに本発明を適用することができる。
【図面の簡単な説明】
【００６２】
【図１】本発明の一実施例を適用する画像投射システムの構成を示す説明図。
【図２】使用履歴データＲＤに格納された情報の一例を示す説明図。
【図３】抽出条件の設定画面を示す説明図。
【図４】使用履歴データから候補ファイル情報が生成される様子を示す説明図。
【図５】画像投射システムにおいてプレゼンテーションが行われる際の処理の流れを示すシーケンス図。
【図６】プロジェクタ１００により投射される画像の一例を示す説明図。
【符号の説明】
【００６３】
１０…画像投射システム
１００…プロジェクタ
１０２…リモートコントローラ
１１０…ネットワーク制御部
１２０…映像受信部
１３０…候補ファイル情報受信部
１４０…操作制御部
１５０…表示情報生成部
１６０…投射部
２００…パーソナルコンピュータ
２１０…ネットワーク制御部
２２０…プロジェクタ接続処理部
２２２…映像送信部
２２４…アプリケーション実行制御部
２２６…候補ファイル情報送信部
２２８…候補ファイル情報生成部
２３０…フレームバッファ
２４０…アプリケーション実行部
２５０…ファイルシステム
ＡＤ…アプリケーションデータファイル
ＲＤ…使用履歴データ
【図１】
2008209853.tif 000003
【図２】
2008209853.tif 000004
【図３】
2008209853.tif 000005
【図４】
2008209853.tif 000006
【図５】
2008209853.tif 000007
【図６】
2008209853.tif 000008